(57)【要約】【課題】端蓋とロータとを組み付ける操作だけで、ブラシ対の衝撃変形や損傷等が起こらずに、ブラシ対を整流子上に首尾良くセットできるブラシ付き小型モータの提供。【解決手段】ロータ５０は、モータシャフト５ａの油返しワッシャー６からの突出側において外嵌した錐体状ブラシ案内体２０を有し、これはモータシャフト５ａが貫通する環部２１と環部２１から夫々円錐母線方向に突出した６本の末広状弾力性突片２２を有する。端蓋７をモータケース１の端部開口に装着すると、ブラシ対７Ａのスラスト方向への押し込みに応じて当該ブラシ対７Ａが突片２２を乗り上げるため、ブラシ対７Ａが相互離反方向に次第に拡開した後、復元力によりブラシ対７Ａが夫々油返しワッシャー６を乗り越えて整流子５Ｅの周面を挟み込む。また、端蓋７の保持する含油軸受７ｅが環部２１を押し込むため、案内体２０が扁平化すると共に拡径化する。【選択図】      図１
2005218241.tif 000002
【特許請求の範囲】
【請求項１】
電機子から突出するモータシャフトに整流子を絶縁的に添接したロータと、前記ロータを内蔵して回転可能に支承するモータケースと、前記モータケースの端部開口に装着する端蓋に支持されて前記整流子に摺接するためのブラシ対と、前記端蓋に保持された軸受とを有するブラシ付き小型モータであって、
前記端蓋と前記ロータとの組み付け過程において、前記ブラシ対のスラスト方向への相対的な押し込みに応じて当該ブラシ対を相互離反方向に拡開するべきブラシ案内手段を有することを特徴とするブラシ付き小型モータ。
【請求項２】
電機子から突出するモータシャフトに整流子を絶縁的に添接し、前記整流子の端に油返しワッシャーを挿入したロータと、前記ロータを内蔵して回転可能に支承するモータケースと、前記モータケースの端部開口に装着する端蓋に支持されて前記整流子に摺接するブラシ対と、前記端蓋に保持された軸受とを有するブラシ付き小型モータであって、
前記端蓋と前記ロータとの組み付け過程において、前記ブラシ対のスラスト方向への相対的な押し込みに応じて当該ブラシ対を相互離反方向に拡開するべきブラシ案内手段を有することを特徴とするブラシ付き小型モータ。
【請求項３】
請求項１又は請求項２において、前記ブラシ案内手段は、前記モータシャフトの前記整流子からの突出側に外嵌し、外径が前記整流子側に近づくにつれて漸増する錐体状ブラシ案内体であることを特徴とするブラシ付き小型モータ。
【請求項４】
請求項３において、前記錐体状ブラシ案内体は、前記押し込み過程で前記軸受に圧迫されて扁平且つ拡径化する変態性を有して成ることを特徴とするブラシ付き小型モータ。
【請求項５】
請求項４において、前記錐体状ブラシ案内体は自由状態では王冠状であることを特徴とするブラシ付き小型モータ。
【請求項６】
請求項５において、前記錐体状ブラシ案内体は、前記モータシャフトが貫通する環部と、この環部の周囲離散点から夫々円錐母線方向に突出した複数の弾力性突片とを有して成ることをブラシ付き小型モータ。
【発明の詳細な説明】
【技術分野】
【０００１】
本発明は、ブラシ付き小型モータに関し、特に、モータ組立時におけるブラシ対の整流子へのセット技術に関する。
【背景技術】
【０００２】
従来、ブラシ付き小型モータの組立ては、図３に示す如く、一端部が開口した有底筒状のモータケース１，含油軸受２，マグネット３，調整ワッシャー（スラストワッシャ）４，ロータ５，油返しワッシャー６及び端蓋（エンドブラケット）７を準備し、モータケース１の端板バーリング部１ａに含油軸受２を圧入し、モータケース１の内周面にマグネット３を取着し、モータシャフト５ａに調整ワッシャー４を嵌めてからモータシャフト５ａを軸受２に挿通し、モータシャフト５ａに油返しワッシャー６を嵌めてからモータケース１の端部開口に端蓋７を装着するものである。或いは、モータシャフト５ａに油返しワッシャー６を嵌めてから端蓋７に組み付けた後、モータケース１を嵌めても良い。
【０００３】
ここで、ロータ５は、図４に示す如く、積層磁性板から成るコア５ｂと、コア５ｂの両端面を覆う絶縁コア５ｃ，５ｃと、モータシャフト５ａに挿入した整流子ホルダ５ｄの周囲に添接して成る３つの整流子片５ｅ，５ｅ，５ｅ（整流子５Ｅ）と、これら整流子片５ｅ，５ｅ，５ｅ（整流子５Ｅ）を環締めるための締め環５ｆと、締め環５ｆの周りに取着したリング状バリスタ５ｇと、絶縁ワッシャー５ｈと、ロータブッシュ５ｉと、コア５ｂに巻装した巻線（図示せず）とから成る。また、端板７は、図５に示す如く、一対のブラシ片７ａ，７ａ（ブラシ対７Ａ）を支持すると共にエンドプレート７ｃを取着するためのブラシホルダ７ｂと、エンドプレート７ｃの中央穴に収めるスラスト軸受７ｄ及び含油軸受７ｅとから成る。
【発明の開示】
【発明が解決しようとする課題】
【０００４】
端蓋７とロータ５との組み付けの際には、図６に示す如く、端板７に支持されて相接触状態のブラシ片７ａ，７ａ（ブラシ対７Ａ）がモータシャフト５ａに沿ってロータ５の油切りワッシャー６側に臨むため、図６の矢印方向の押し込まれるブラシ対７Ａが軸径よりも大径の油返しワッシャー６の端面にそのまま当接することとなるため、エンドプレート７ｃに穿孔されたブラシ拡開用調整孔Ａ，Ａにピン工具等を挿入して、ブラシ対７Ａをブラシホルダ７ｂ側に押し曲げた状態で端蓋７を押し込んだ後、ピン工具等を抜いてブラシ対７Ａをそのばね性で整流子５Ｅに当てる操作が必要となる。
【０００５】
しかしながら、モータの小形化（小径化）が進むにつれ、エンドプレート７ｃにブラシ拡開用調整孔Ａ，Ａ自体を設けることが非常に難しくなり、またピン工具等によるブラシセットの調整作業も煩雑なものとなる。
【０００６】
例えば、ブラシ拡開用調整孔Ａ，Ａを具備しないエンドプレート７ｃでは、単にモータケース１の端部開口に端蓋７を閉蓋する操作を以って、ブラシ対７Ａを強引に油返しワッシャー６の端面側に当てそのバネ性反動変形を利用して整流子５Ｅにまで持ち来たす強引な手法を採用せねばならないから、多少なりともブラシ対７Ａに衝撃変形や損傷等が生じるものとなる。モータの小型化によりブラシ対７Ａも軽薄なものとなる以上、ブラシ対７Ａの衝撃変形や損傷等は無視できない。このため、ブラシ付き小型モータの歩留まりの低下を招く。
【０００７】
そこで、上記問題点に鑑み、本発明の課題は、端蓋とロータとの組み付け操作だけで、ブラシ対の衝撃変形や損傷等が起こらずに、ブラシ対を整流子上に首尾良くセットできるブラシ付き小型モータを提供することにある。
【課題を解決するための手段】
【０００８】
本発明に係るブラシ付き小型モータは、電機子から突出するモータシャフトに整流子を絶縁的に添接したロータと、このロータを内蔵して回転可能に支承するモータケースと、このモータケースの端部開口に装着する端蓋に支持されて整流子に摺接するためのブラシ対と、端蓋に保持された軸受とを有する。そして本発明は、端蓋とロータの組み付け過程において、ブラシ対のスラスト方向への相対的な押し込みに応じて当該ブラシ対を相互離反方向に拡開するべきブラシ案内手段を有することを特徴とする。
【０００９】
斯かる構成においては、端蓋とロータとを装着すると、その装着過程において、ブラシ案内手段がブラシ対のスラスト方向への押し込みに応じて当該ブラシ対を相互離反方向に拡開するため、ブラシ対が整流子の端面に当接せずに乗り越えて整流子の周面に滑り込む。このため、ブラシ対の整流子の端面への衝突が起こらず、ブラシ対を整流子に無理なくセットできるので、ブラシ対の衝撃変形や損傷等を回避でき、歩留まりの向上を図り得る。
【００１０】
勿論、油返しを入念に行なうために、整流子の端に油返しワッシャーを嵌めても構わない。斯かる場合も、ブラシ対が油返しワッシャーの端面に当接せずに乗り越えて整流子の周面に滑り込むため、ブラシ対の油返しワッシャーの端面への衝突が起こらず、ブラシ対を整流子に無理なくセットできるので、ブラシ対の衝撃変形や損傷等を回避でき、歩留まりの向上を図り得る。
【００１１】
ブラシ案内手段としては、モータシャフトの整流子からの突出側に外嵌し、外径が整流子側に近づくにつれて漸増する錐体状ブラシ案内体とすることができる。ブラシ対のスラスト方向への押し込みに応じて当該ブラシ対が夫々錐体周面を乗り上げるため、ブラシ対が相互離反方向に次第に拡開した後、ブラシ対の復元力によりブラシ対が夫々整流子の周面を挟み込む。
【００１２】
しかしながら、この錐体状ブラシ案内体はテーパー状であり、軸方向に厚みがあるため、モータ軸長のやや長くなる不都合がある。
【００１３】
そこで、本発明は、錐体状ブラシ案内体としては、端蓋をモータケースの端部開口に装着する過程で軸受に圧迫されて扁平且つ拡径化する変態性を有する形態とするのが望ましい。端蓋の装着完了時においては錐体状ブラシ案内体が軸方向に扁平化する反面、外径が拡径化した状態となるため、軸長が長くならず、また錐体状ブラシ案内体の外径が整流子の外径よりも大きく、油返しワッシャーの外径と同等又はそれ以上とすることができるため、油返しワッシャーが無くとも、錐体状ブラシ案内体だけで油返し機能を果たす。
【００１４】
この錐体状ブラシ案内体としては自由状態では王冠状とすることができる。即ち、錐体状ブラシ案内体は、モータシャフトが貫通する環部と、この環部の周囲離散点から夫々円錐母線方向に突出した複数の弾力性突片とを有して成る。斯かる錐体状ブラシ案内体はプレス成形又は樹脂成形で１部品として構成できるため、組み付け工程の手間が増えず、低コスト化を図ることができる。
【発明の効果】
【００１５】
本発明はブラシ案内手段を有するため、モータケースの端部開口に端蓋を装着する操作だけで、ブラシ対の衝撃変形や損傷等が起こらずに、ブラシ対を整流子上に首尾良くセットできる。
【発明を実施するための最良の形態】
【００１６】
次に、本発明の実施形態を添付図面に基づいて説明する。
【００１７】
図１（Ａ）は本発明の実施例におけるロータの構成を示す斜視図、（Ｂ）は同実施例において用いる錐体状ブラシ案内体を示す斜視図である。
【００１８】
本例のブラシ付き小型モータも概ね図３に示す構成を有するため、その説明を割愛するが、ロータの構成を異にしている。即ち、本例のロータ５０は、図１（Ａ）に示す如く、モータシャフト５ａの油返しワッシャー６からの突出側において外嵌した錐体状ブラシ案内体２０を有している。この錐体状ブラシ案内体２０は王冠状樹脂成形品であって、図１（Ｂ）に示す如く、モータシャフト５ａが貫通する環部２１と、この環部２１の周囲６等分点から夫々円錐母線方向に突出した６本の末広状弾力性突片２２とを有して成る。本例では、自然状態での末広状弾力性突片２２の末端の外径を油返しワッシャー６と略等しくしてある。
【００１９】
端蓋７とロータ５０とを組み付けると、ブラシ対７Ａが図２（Ａ）の状態から図２（Ｂ）の状態に移行し、ブラシ対７Ａのスラスト方向への押し込みに応じて当該ブラシ対７Ａが夫々錐体状ブラシ案内体２０の末広状弾力性突片２２を乗り上げるため、ブラシ対７Ａが相互離反方向に次第に拡開した後、図２（Ｃ）に示す如く、ブラシ対７Ａの復元力によりブラシ対７Ａが夫々油返しワッシャー６を乗り越えて整流子５Ｅの周面を挟み込む。ブラシ対７Ａの図２（Ｂ）の状態から図２（Ｃ）への移行終期においては、端蓋７の保持する含油軸受７ｅが錐体状ブラシ案内体２０の環部２１を押し込むため、各末広状弾力性突片２２は環部２１側付け根から折曲がり、末広状弾力性突片２２から成る錐体が扁平化すると共に拡径化する。
【００２０】
このため、端蓋７の押し込み終期では、末広状弾力性突片２２の末端が油返しワッシャー６の外径よりも外周側に突出して傘開くので、ブラシ対７Ａが油返しワッシャー６の端面に当接することなく十分に乗り越えた後、整流子５Ｅに密着する。従って、ブラシ対７Ａの衝撃変形や損傷等が起こらずに、ブラシ対７Ａを整流子５Ｅ上に首尾良くセットでき、また軸方向の厚みを抑制することができる。しかも、油返しワッシャー６を用いずに錐体状ブラシ案内体２０だけでも油返し効果を発揮する。
【図面の簡単な説明】
【００２１】
【図１】（Ａ）は本発明の実施例におけるロータの構成を示す斜視図、（Ｂ）は同実施例において用いる略円錐状ブラシ案内体を示す斜視図である。
【図２】（Ａ）は同実施例において端蓋を装着する際のブラシ対と整流子との関係を示す斜視図、（Ｂ）はブラシ対が略円錐状ブラシ案内体に案内されている様子を示す斜視図、（Ｃ）はブラシ対が整流子に位置決めされた状態を示す斜視図である。
【図３】従来のブラシ付き小型モータを示す組立て斜視図である。
【図４】同従来例におけるロータの組立て斜視図である。
【図５】同従来例における端蓋の組立て斜視図である。
【図６】同従来例において端蓋を装着する際のブラシ対と整流子との関係を示す斜視図である。
【符号の説明】
【００２２】
１…モータケース
１ａ…端板バーリング部
２，７ｅ…含油軸受
３…マグネット
４…調整ワッシャー（スラストワッシャ）
５，５０…ロータ
５ａ…モータシャフト
５ｂ…コア
５ｃ…絶縁コア
５ｄ…整流子ホルダ
５ｅ…整流子片
５Ｅ…整流子
５ｆ…締め環
５ｇ…リング状バリスタ
５ｈ…絶縁ワッシャー
５ｉ…ロータブッシュ
６…油返しワッシャー
７…端蓋（エンドブラケット）
７Ａ…ブラシ対
７ａ…ブラシ片
７ｂ…ブラシホルダ
７ｄ…スラスト軸受
２０…錐体状ブラシ案内体
２１…環部
２２…末広状弾力性突片
Ａ…ブラシ拡開用調整孔
【図１】
2005218241.tif 000003
【図２】
2005218241.tif 000004
【図３】
2005218241.tif 000005
【図４】
2005218241.tif 000006
【図５】
2005218241.tif 000007
【図６】
2005218241.tif 000008